(57)【要約】【課題】従来技術と比べて安価かつ安全かつ柔軟性のある通信端末の緊急呼び出し機能を提供する。【解決手段】通信端末に結合された装置により、緊急シーケンスをトリガすることが可能になる。緊急シーケンス中において、通信端末は信号を出力し、それによって、例えば所定の電話番号への音声リンクがセットアップされる。外部トリガ装置（４００）は、例えばメモリカードの形状である。その装置は、トリガグリップ（４０１）を有しており、カード読取装置により通信端末に結合されている。【選択図】  図４
2006074784.tif 000002
【特許請求の範囲】
【請求項１】
検出装置と、制御装置と、信号生成装置と、信号出力装置とを有する通信端末であって、
該通信端末は、操作要素と信号装置とを有する外部トリガ装置に結合され得、該信号装置は、該操作要素が機械的に操作されたときにおいてトリガ信号を生成するようにセットアップされており、
該検出装置は、該トリガ信号を検出するようにセットアップされており、
該制御装置は、該トリガ信号が該検出装置により検出されたときにおいて、該信号生成装置が該信号出力装置により出力される信号を生成するように、該信号生成装置と該信号出力装置とを制御するようにセットアップされている、通信端末。
【請求項２】
前記信号が、該信号の出力が、複数の所定の電話番号のうちの１つの電話番号を用いて音声通信リンクをセットアップするような形式であり、かつ／または、該信号の出力が、緊急事態が生じたことを確認することができるメッセージを送信するような形式であり、かつ／または音声もしくは視覚信号である、請求項１に記載の通信端末。
【請求項３】
前記メッセージが、テキストメッセージ、またはマルチメディアメッセージである、請求項２に記載の通信端末。
【請求項４】
前記メッセージが、ＳＭＳメッセージ、またはＭＭＳメッセージである、請求項３に記載の通信端末。
【請求項５】
前記外部トリガ装置が前記通信端末のアクセサリである、請求項１に記載の通信端末。
【請求項６】
前記信号出力装置が移動無線伝送装置である、請求項１に記載の通信端末。
【請求項７】
移動無線ユーザー端末である、請求項１に記載の通信端末。
【請求項８】
前記トリガ装置が、チップカード、またはメモリスティック、またはコンピュータ拡張カードである、請求項１に記載の通信端末。
【請求項９】
前記トリガ装置が、ＭｕｌｔｉＭｅｄｉａＣａｒｄ、またはＵＳＢスティック、またはＰＣＭＣＩＡカードである、請求項８に記載の通信端末。
【請求項１０】
前記トリガ装置が、適切なアクセス装置を用いて前記通信端末に結合され得る、請求項８に記載の通信端末。
【請求項１１】
検出装置と、制御装置と、信号生成装置と、信号出力装置とを有する通信端末を制御する方法であって、
該通信端末に結合された外部トリガ装置における操作要素が機械的に操作されたときにおいて生成されるトリガ信号を検出することと、
該トリガ信号を検出することにより、該通信端末が信号を生成し出力するように該通信端末の制御を促すことと
を包含する、方法。
【請求項１２】
検出装置と、制御装置と、信号生成装置と、信号出力装置とを有する通信端末を有し、操作要素と信号装置とを有する外部トリガ装置を有する通信配置であって、
該通信端末は該トリガ装置に結合されており、該信号装置は、該操作要素が機械的に操作されたときにおいてトリガ信号を生成するようにセットアップされており、
該検出装置は、該トリガ信号を検出するようにセットアップされており、
該制御装置は、該トリガ信号が該検出装置により検出されたときにおいて、該信号生成装置が該信号出力装置により出力される信号を生成するように、該信号生成装置と該信号出力装置とを制御するようにセットアップされている、通信配置。
【請求項１３】
操作要素と信号装置とを有し、通信端末に結合され得るトリガ装置であって、
該トリガ装置は該通信端末に対して外部にあり、
該信号装置は、該操作要素が機械的に操作されたときにおいてトリガ信号を生成するようにセットアップされており、
該通信端末は、該トリガ信号が検出されたときにおいて信号を生成し出力する、トリガ装置。
【請求項１４】
通信端末のメモリにロードされており、該通信端末内のプロセッサにより実行されるコンピュータプログラム要素であって、
該通信端末に結合された外部トリガ装置における操作要素が機械的に操作されたときにおいて生成されたトリガ信号を検出する工程と、
該トリガ信号を検出することにより、該通信端末が信号を生成し出力するように該通信端末の制御を促す工程と
の実行を指示する、コンピュータプログラム要素。
【請求項１５】
制御装置と、信号生成装置と、信号出力装置とを有する通信端末であって、
該通信端末はアクセサリに結合され得、
該制御装置は、該アクセサリが該通信端末に結合されているかに依存して、該信号生成装置が、該信号出力装置から出力されかつ緊急事態が起きたことを確認し得る信号を生成するように、該信号生成装置と該信号出力装置とを制御するように適合されている、通信端末。
【請求項１６】
前記アクセサリが前記通信端末に結合されているかを検出するように適合された検出装置をさらに備えた、請求項１５に記載の通信端末。
【請求項１７】
前記制御装置が、前記通信端末のスイッチがオンのときにおいて前記アクセサリが該通信端末に結合されている場合、または該通信端末のスイッチがオンであり該アクセサリが該通信端末から引き離されている場合において、前記信号生成装置が、前記信号出力装置により出力される信号を生成するように、該信号生成装置と該信号出力装置とを制御するように適合されている、請求項１５に記載の通信端末。
【請求項１８】
アクセサリに結合され得る通信端末を制御する方法であって、該アクセサリが該通信端末に結合されているかに依存して、該通信端末が制御されることにより、緊急事態が起きたことを確認し得る信号を生成し出力する、方法。
【請求項１９】
通信端末を有する通信配置であって、該通信端末は、制御装置と、信号生成装置と、信号出力装置と、アクセサリとを有しており、
該通信端末は該アクセサリに結合され得、
該制御装置は、該アクセサリが該通信端末に結合されているかに依存して、該信号生成装置が、該信号出力装置から出力されかつ緊急事態が起きたことを確認し得る信号を生成するように、該信号生成装置と該信号出力装置とを制御するように適合されている、通信配置。
【請求項２０】
アクセサリに結合された通信端末のメモリにロードされており、該通信端末内のプロセッサにより実行されるコンピュータプログラム要素であって、
該アクセサリが該通信端末に結合されているかに依存して、該通信端末が、緊急事態が起きたことを確認し得る信号を生成し出力するような制御を指示する、コンピュータプログラム要素。
【請求項２１】
プログラム命令が記憶されたコンピュータ読取り可能な記憶媒体であって、
アクセサリに結合され得る通信端末のプロセッサにより実行されたときにおいて、該アクセサリが該通信端末に結合されているかに依存して、該通信端末が、緊急事態が起きたことを確認し得る信号を生成し出力するような制御を指示する、コンピュータ読取り可能な記憶媒体。
【発明の詳細な説明】
【技術分野】
【０００１】
本発明は、通信端末と、通信端末を制御する方法と、通信配置と、トリガ装置と、コンピュータプログラム要素と、コンピュータ読取り可能な記憶媒体とに関する。
【背景技術】
【０００２】
移動電話は、例えば「Ｄａｓ  Ｎｅｔｚ，ｄａｓ  Ｌｅｂｅｎ  ｒｅｔｔｅｔ」［Ｔｈｅ  ｎｅｔｗｏｒｋ  ｗｈｉｃｈ  ｓａｖｅｓ  ｌｉｖｅｓ］；Ｓｕｄｈｅｓｓｉｓｃｈｅ  Ｐｏｓｔ，０１．２５．２００３に記載されているように、緊急事態が道路交通、または沿岸地域、または山岳地帯において起きたかによらず、緊急事態における救援およびサポートを要求するに適した広く用いられている手段である。
【０００３】
例えばＭｉｃｈｅｌ  Ｍｏｕｌｙ，Ｍａｒｉｅ−Ｂｅｒｎａｄｅｔｔｅ  Ｐａｕｔｅｔ，「Ｔｈｅ  ＧＳＭ  ｓｙｓｔｅｍ  ｆｏｒ  Ｍｏｂｉｌｅ  Ｃｏｍｍｕｎｉｃａｔｉｏｎｓ」，ＩＳＢＮ  ２−９５０７１９０−０−７，１９９２に記載されている移動無線通信システムのＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）規格に従って、移動無線ユーザー端末（ｍｏｂｉｌｅ  ｒａｄｉｏ  ｕｓｅｒ  ｔｅｒｍｉｎａｌ）のユーザーが、番号１１２をダイヤルすることによりシンプルな標準化された方法を用いて近くの緊急サービスに連絡することができるという特別な通信サービスとして、緊急呼び出しが、提供されている。この番号は、ヨーロッパでは標準的な緊急番号として定められており、米国における緊急番号９１１に相当する。
【０００４】
緊急事態は、第二者からのサポートおよび救援が必要である；応答までの時間が短い必要がある；救援を必要とする人が救援を求めているか、または緊急地域にいる救援者が救援を求めている、という態様に特徴付けられ得る。
【０００５】
従来の緊急呼び出しの方法では、移動無線ユーザー端末の電源が既に入れられている場合においては、緊急呼び出しをするために用いられることが意図された移動無線ユーザー端末の少なくとも３つのキーを操作する必要がある。状況を説明する短い会話が続く。
【０００６】
しかし、この緊急呼び出し方法には、様々な制限がある。例えば、グローブをはめた人（例えば、スノーボーダー）が、移動無線ユーザー端末を持ち、比較的小さなキーを操作することは困難であり得る。
【０００７】
さらに、電話番号１１２および９１１は、固定された電話番号であり、電話呼び出しのために確保されている。換言すると、音声以外での通知に用いることができない。
【０００８】
電話番号をダイヤルするワンタッチ・ダイヤルキーが、Ｐｒｏｄｕｃｔ  Ｌｅａｆｌｅｔ，Ｅｕｒｏｐｏｒｔｙ  ＰＲ７０１，Ｐｈｉｌｉｐｓ  Ｋｏｍｍｕｎｉｋａｔｉｏｎｓ  Ｉｎｄｕｓｔｒｉｅ  ＡＧ，１９９４において提案されている。この場合において、「ＳＯＳ」キーにより、はやく緊急電話番号をダイヤルすることができる。
【０００９】
さらなるオプションは、様々な方法で移動無線ユーザー端末の緊急呼び出しキーの操作をシンプルにするものとして知られている。しかし、通常、各移動無線ユーザー端末の機械設計および電気設計に考慮される必要のあるインプリメンテーションが用いられる。例えば、特別な操作要素を有するような形態の移動無線ユーザー端末を記載しているＤＥ  ２９８０９９５９  Ｕ１を参照されたい。各移動無線ユーザー端末、さもないと別の緊急呼び出しユニットが、非常に特別な設計からなり、高価である。
【００１０】
上記の欠点のために、今日用いられている移動無線ユーザー端末の大多数は、高度な緊急呼び出し機能を有しない。
【００１１】
ＷＯ  ９６２３３８５  Ａ１には、キーを操作することにより、記憶された警察用緊急番号または記憶された医療用緊急番号を用いた緊急呼び出しをし、移動無線ユーザー端末を不断の伝送モードにすることによって、伝送された信号を位置決めのために用いることができる移動無線ユーザー端末についての記載がある。
【００１２】
ＪＰ  ２００２０５６４８６  Ａには、ＳＯＳキーが操作された場合において携帯用の端末から伝送された緊急呼び出し信号を受信するようにセットアップされた携帯用の受信器を有する緊急呼び出しシステムが開示されている。このようにして、携帯用の端末がベース局の範囲外にある場合において、緊急呼び出し信号を受信することができる。
【００１３】
ＦＲ  ２８２０５８５  Ａ１には、移動無線ユーザー端末を作動させる動き検出器を有することによって、移動無線ユーザー端末がさらなる移動無線ユーザー端末への通信リンクをセットアップする装置が開示されている。
【００１４】
ＷＯ  ２００３０４１２９０  Ａ１には、移動無線ユーザー端末に可聴アラーム信号の出力を促す作用をするアラームキーを有するアラーム機能を有している移動無線ユーザー端末が開示されている。
【００１５】
ＤＥ  ２０３０２３２７  Ｕ１には、スイッチ要素が操作されると緊急呼び出し信号を出力する体に装着可能なボディフォン（ｂｏｄｙｐｈｏｎｅ）が開示されている。
【００１６】
ＧＢ  ２３６０９０４  Ａでは、キーがロックされている場合においても動作可能な押し下げられた緊急呼び出しキーを有する移動無線ユーザー端末の装備が提案されている。
【００１７】
ＭｕｌｔｉＭｅｄｉａＣａｒｄ  Ｐｒｏｄｕｃｔ  Ｍａｎｕａｌ  Ｒｅｖ．５．２，Ｓａｎ  Ｄｉｓｋ  Ｃｏｒｐｏｒａｔｉｏｎ，２００２／２００３には、メモリチップカード、ＭｕｌｔｉＭｅｄｉａＣａｒｄについて記載されている。
【発明の開示】
【発明が解決しようとする課題】
【００１８】
本発明は、従来技術と比べて安価かつ安全かつ柔軟性のある通信端末の緊急呼び出し機能を提供することの問題に基づいている。
【課題を解決するための手段】
【００１９】
この問題は、独立請求項に基づく特徴を有する通信端末と、通信端末を制御する方法と、通信配置と、トリガ装置と、コンピュータプログラム要素と、コンピュータ読み取り可能な記憶媒体とにより、解決される。
【００２０】
検出装置と、制御装置と、信号生成装置と、信号出力装置とを有する通信端末を提供する。通信端末は、操作要素と信号装置とを有する外部トリガ装置に結合され得、信号装置は、操作要素が機械的に操作されたときにおいて、トリガ信号を生成するようにセットアップされている。検出装置は、トリガ信号を検出するようにセットアップされている。制御装置は、信号生成装置が信号出力装置により出力される信号を生成するように、トリガ信号が検出装置に検出されたときにおいて信号生成装置と信号出力装置とを制御するように、セットアップされている。
【００２１】
本発明は、また、上記の通信端末による通信端末を制御する方法と、通信配置と、トリガ装置と、コンピュータプログラム要素とを提供する。
【００２２】
さらに、制御装置と、信号生成装置と、信号出力装置とを有する通信端末が提供され、通信端末は、アクセサリに結合され得る。制御装置は、アクセサリが通信端末に結合されているかに依存して、信号生成装置が、信号出力装置から出力され、緊急事態が生じたか否かを決定し得る信号を生成するような形で、信号生成装置と信号出力装置とを制御するように適合されている。
【００２３】
本発明は、また、上記の通信端末による通信端末を制御する方法と、通信配置と、コンピュータプログラム要素と、コンピュータ読取り可能な記憶媒体とを提供する。
【００２４】
本発明の一実施形態において、例示的に、通信端末は、容易に緊急呼び出し（または、緊急シーケンス）をトリガする操作要素（例えば、キーまたはグリップ）を有する装置に結合されており、その装置は、通信端末の一部ではない。
【００２５】
これにより、緊急呼び出しをトリガするシンプルかつ安全な機会が提供され、その機会は、通信端末自身により提供されることを必要としない。
【００２６】
特に、通信端末が特別な形態である必要はない。本発明は、外部トリガ装置に通信端末を結合するインターフェースを有する任意の通信端末とともに用いられ得る。通信端末は、通常、インターフェース（例えば、Ｂｌｕｅｔｏｏｔｈモジュール、すなわちシンプルなプラグ接続のインターフェース）を有するため、本発明は、ほとんど全ての通信端末に基づいて実現され得る。
【００２７】
本発明の基となるアイデアは、困難な条件下においてさえ容易かつ安全に操作可能なトリガ要素が通信端末と独立に提供されており、トリガ要素が操作されたときにおいて、規定された動作を含む規定されたシーケンスが実行されるという点において見られ得る。
【００２８】
トリガ要素は、好適には、標準的なインターフェースにより通信端末に結合されており、それによって、トリガ要素は、市場で購入可能な通信端末の大部分に対して用いられ得、多数の通信端末（例えば、移動無線ユーザー端末）に安価に高度な緊急呼び出し機能を提供し得る。
【００２９】
特に、本発明は、特定のハードウェア（例えば、特定の移動プラットフォーム）の使用に限定されない。
【００３０】
機械操作は、例えば、キーを押すこと、またはグリップを引っ張ること、またはセンサをトリガすること（例えば、指でセンサをタッチするかまたはセンサを押すこと）を意味すると理解される。
【００３１】
例示的に、緊急呼び出し機能は、トリガ装置により提供される。通信端末の複雑さおよびコストは、高度な緊急呼び出し機能を提供することによっても僅かにしか増大しない。
【００３２】
さらに、トリガ装置のプラグを差込み、通信端末を適切にセットアップすること（例えば、適切なドライバソフトウェアをインストールすること）によって、いつでも高度な緊急呼び出し機能が提供され得る。特に、通信端末の実際の設計中においてその機能を考慮に入れる必要はない。
【００３３】
従って、高度な緊急呼び出し機能は、特別に設計された移動無線ユーザー端末と比べて、安価に提供され得る。
【００３４】
一実施形態において、例示的に、通信端末は、アクセサリが通信端末に結合されているかをチェックし、それに応じて緊急信号を出力する。
【００３５】
例えば、通信端末のユーザーがアクセサリを通信端末から引き離したときに、または、ユーザーがアクセサリを通信端末に結合したときにおいて、緊急信号は、出力される。
【００３６】
ユーザーには、緊急事態をトリガするためのシンプルな動作（例えば、通信端末からアクセサリを引き離す動作）のみが必要とされるために、このようにしてシンプルかつ安全な緊急事態をトリガする方法が提供される。従って、高度な緊急機能が提供される。
【００３７】
その通信端末の高度な緊急機能のために、通信端末を特別な態様で形成する必要はない。本発明は、通信端末をアクセサリに結合するインターフェースを備えた任意の通信端末とともに用いられ得る。通信端末は、通常、上記インターフェース（例えば、プラグ接続のためにシンプルなソケット）を備えているため、本発明は、ほとんど全ての通信端末に基づいて実現され得る。
【００３８】
特に、高度な緊急機能を提供することによっても、通信端末の複雑さおよびコストは、僅かにしか増大しない。
【００３９】
本発明の基となるアイデアは、困難な条件下において（例えば、ユーザーが分厚いグローブをはめているときにおいて）もシンプルかつ安全に作動され得る緊急機能が提供されており、緊急機能が作動されたときにおいて、所定の動作を含む所定のフローが実行されるという点において見られ得る。
【００４０】
例示的に、例えば、アクセサリの使用が可能な移動無線ユーザー端末（または別の移動プラットフォーム）は、移動無線ユーザー端末が高度な緊急機能を備えるように、特別なアクセサリを用いて拡張される。
【００４１】
本明細書におけるアクセサリは、通信端末の中核的な機能（例えば、通信端末を用いた音声通信）には必ずしも必要ではない装置（例えば、メモリカード、またはＵＳＢスティック、またはハンズフリーセット、または下記のように特別に形成されたアクセサリ）を意味する。
【００４２】
アクセサリは、好適には、アクセサリが従来の通信端末の大多数に用いられ得るように、また、多くの通信端末（例えば、移動無線ユーザー端末）に対して安価に高度な緊急機能を提供し得るように、標準的なインターフェースを介して、通信端末に結合される。
【００４３】
特に、本発明は、特別なハードウェアとともに（例えば、特別な移動プラットフォームとともに）用いられることに限定されない。
【００４４】
さらに、対応する通信端末のセットアップ（例えば、対応するドライバソフトウェアをインストールすること）により、いつでも高度な緊急機能が提供され得る。特に、通信端末の設計中においてその機能を考慮に入れる必要はない。
【００４５】
従って、高度な緊急機能は、特別に設計された移動無線ユーザー端末と比べて、安価に提供され得る。
【００４６】
本発明の好適なさらなる形態は、従属の請求項において見られ得る。本発明は通信端末のうちの１つとともに説明されるが、本発明の別の改良形態は、適切な態様により、別の通信端末に、通信端末を制御する方法に、通信配置に、トリガ装置に、コンピュータプログラム要素に、およびコンピュータ読取り可能な記憶媒体に適用される。
【００４７】
信号は、好適には、複数の所定の電話番号から１つの電話番号を用いて信号の出力が音声通信リンクをセットアップするような形式、および／または、信号の出力が、緊急事態が生じたかを確かめることができるメッセージを送信するような形式、および／または、信号が音声信号または視覚信号であるような形式である。
【００４８】
緊急事態に遭遇し得るユーザーが正気を取り戻す状況によるが、ユーザーは、通信端末をセットアップすることができ、それにより、操作要素が操作されたときに緊急シーケンスがトリガされた場合において、音声リンクがセットアップされるか、またはメッセージが送信されるか、または音声信号もしくは視覚信号が出力される。例示的に、ユーザーは、適切な緊急シーケンスを指定するユーザープロファイルを作成し得る。例えば、スキーヤーは、緊急シーケンスをトリガすることにより、例えばなだれに埋もれたときにおいて、自身の位置を特定することを可能にする音声信号の出力が促されるように、通信端末をセットアップし得る。別の信号を用いることにより、複数の異なったユーザープロファイルを作成することができる。
【００４９】
追加情報を送信するために、信号が用いられ得る。通信端末が、例えば乗物において操作されている場合において、例えば不調（例えば、エンジンの不調）に関する診断データが送信され得る。さらに、その信号は、視覚信号であり得、モールスコードを送信するために用いられ得る。従って、通信端末は、ディスプレイ装置を用いて、受信したモールス信号を表示するようにセットアップされ得る。
【００５０】
信号は、通信端末に結合されたアクセサリが制御され得、通信端末のインターフェースが始動され得るような形態であり得る。例えば、特定の操作パネルを用いることにより、点字コードが送受信可能になり得る。さらに、信号は、適切な音声信号を出力するように、通信端末に結合されたサイレンを制御し得る。
【００５１】
それらの追加のオプションは、同時に提供され得、また、緊急シーケンス中において、通信端末の任意の機能を用いることができる。
【００５２】
好適には、メッセージは、テキストメッセージまたはマルチメディアメッセージである。
【００５３】
好適には、メッセージは、ＳＭＳメッセージまたはＭＭＳメッセージである。
【００５４】
好適には、外部トリガ装置は、通信端末のアクセサリである。
【００５５】
好適には、信号出力装置は、移動無線伝送装置である。
【００５６】
好適には、通信端末は、移動無線ユーザー端末である。
【００５７】
一実施形態において、通信端末は、アクセサリが通信端末に結合されているかを検出するように適合された検出装置を備えている。
【００５８】
一実施形態において、制御装置は、通信端末のスイッチがオンのときにおいてアクセサリが通信端末に結合されている場合、および／または通信端末のスイッチがオンでありアクセサリが通信端末から引き離されている場合において、信号生成装置が、信号出力装置により出力される信号を生成するように、信号生成装置と信号出力装置とを制御するように適合されている。
【００５９】
好適には、トリガ装置は、チップカード、またはメモリスティック、またはコンピュータ拡張カードである。
【００６０】
好適には、トリガ装置は、ＭｕｌｔｉＭｅｄｉａＣａｒｄ、またはＵＳＢスティック、またはＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カードである。
【００６１】
好適には、トリガ装置は、適切なアクセス装置を用いて、通信端末に結合され得る。
【００６２】
例示的に、アクセサリは、通信端末に間接的に結合され得る。
【００６３】
トリガ装置が、例えばＭｕｌｔｉＭｅｄｉａＣａｒｄの形式である場合において、ＭｕｌｔｉＭｅｄｉａＣａｒｄは、例えば通信端末において一体化されたカード読取装置を用いて結合される。それは、ＭｕｌｔｉＭｅｄｉａＣａｒｄが、カード読取装置に挿入されており、このようにして通信端末に結合されているということを意味する。カード読取装置は、外部から提供され得、例えばＢｌｕｅｔｏｏｔｈインターフェースを用いて、無線によって通信端末に結合され得る。
【００６４】
トリガ装置の形式に対応して、アクセス装置は、カード読取器、またはＵＳＢスティック読取り／書込み装置、または例えばＰＣＭＣＩＡカードスロットを有し、挿入されたＰＣＭＣＩＡカードへのアクセスを可能にする装置である。アクセス装置は、通信端末と外部から結合されることが可能であり得るか、または通信端末に一体化され得る。
【００６５】
カード読取装置または別のアクセス装置を用いることにより、さらにコスト面における有利な点が生じる。それは、アクセス装置が、通常、通信端末の標準的な要素であるからである。
【００６６】
例示的に、例えばＭｕｌｔｉＭｅｄｉａＣａｒｄの使用およびＭｕｌｔｉＭｅｄｉａＣａｒｄへのアクセスを可能にする移動無線ユーザー端末（または別の移動プラットフォーム）は、下記のように例えば特別なＭｕｌｔｉＭｅｄｉａＣａｒｄを用いることにより拡張され、それにより、移動無線ユーザー端末は、高度な緊急呼び出し機能を有する。
【００６７】
異なるアクセス装置、チップカード、メモリスティック、および拡張カードを用いることにより、本発明の複数の実施形態を実現することができる。
【００６８】
本発明は、さらに以下の手段を提供する。
【００６９】
（項目１）
検出装置と、制御装置と、信号生成装置と、信号出力装置とを有する通信端末であって、
該通信端末は、操作要素と信号装置とを有する外部トリガ装置に結合され得、該信号装置は、該操作要素が機械的に操作されたときにおいてトリガ信号を生成するようにセットアップされており、
該検出装置は、該トリガ信号を検出するようにセットアップされており、
該制御装置は、該トリガ信号が該検出装置により検出されたときにおいて、該信号生成装置が該信号出力装置により出力される信号を生成するように、該信号生成装置と該信号出力装置とを制御するようにセットアップされている、通信端末。
【００７０】
（項目２）
上記信号が、該信号の出力が、複数の所定の電話番号のうちの１つの電話番号を用いて音声通信リンクをセットアップするような形式であり、かつ／または、該信号の出力が、緊急事態が生じたことを確認することができるメッセージを送信するような形式であり、かつ／または音声もしくは視覚信号である、項目１に記載の通信端末。
【００７１】
（項目３）
上記メッセージが、テキストメッセージ、またはマルチメディアメッセージである、項目２に記載の通信端末。
【００７２】
（項目４）
上記メッセージが、ＳＭＳメッセージ、またはＭＭＳメッセージである、項目３に記載の通信端末。
【００７３】
（項目５）
上記外部トリガ装置が上記通信端末のアクセサリである、項目１に記載の通信端末。
【００７４】
（項目６）
上記信号出力装置が移動無線伝送装置である、項目１に記載の通信端末。
【００７５】
（項目７）
移動無線ユーザー端末である、項目１に記載の通信端末。
【００７６】
（項目８）
上記トリガ装置が、チップカード、またはメモリスティック、またはコンピュータ拡張カードである、項目１に記載の通信端末。
【００７７】
（項目９）
上記トリガ装置が、ＭｕｌｔｉＭｅｄｉａＣａｒｄ、またはＵＳＢスティック、またはＰＣＭＣＩＡカードである、項目８に記載の通信端末。
【００７８】
（項目１０）
上記トリガ装置が、適切なアクセス装置を用いて上記通信端末に結合され得る、項目８に記載の通信端末。
【００７９】
（項目１１）
検出装置と、制御装置と、信号生成装置と、信号出力装置とを有する通信端末を制御する方法であって、
該通信端末に結合された外部トリガ装置における操作要素が機械的に操作されたときにおいて生成されるトリガ信号を検出することと、
該トリガ信号を検出することにより、該通信端末が信号を生成し出力するように該通信端末の制御を促すことと
を包含する、方法。
【００８０】
（項目１２）
検出装置と、制御装置と、信号生成装置と、信号出力装置とを有する通信端末を有し、操作要素と信号装置とを有する外部トリガ装置を有する通信配置であって、
該通信端末は該トリガ装置に結合されており、該信号装置は、該操作要素が機械的に操作されたときにおいてトリガ信号を生成するようにセットアップされており、
該検出装置は、該トリガ信号を検出するようにセットアップされており、
該制御装置は、該トリガ信号が該検出装置により検出されたときにおいて、該信号生成装置が該信号出力装置により出力される信号を生成するように、該信号生成装置と該信号出力装置とを制御するようにセットアップされている、通信配置。
【００８１】
（項目１３）
操作要素と信号装置とを有し、通信端末に結合され得るトリガ装置であって、
該トリガ装置は該通信端末に対して外部にあり、
該信号装置は、該操作要素が機械的に操作されたときにおいてトリガ信号を生成するようにセットアップされており、
該通信端末は、該トリガ信号が検出されたときにおいて信号を生成し出力する、トリガ装置。
【００８２】
（項目１４）
通信端末のメモリにロードされており、該通信端末内のプロセッサにより実行されるコンピュータプログラム要素であって、
該通信端末に結合された外部トリガ装置における操作要素が機械的に操作されたときにおいて生成されたトリガ信号を検出する工程と、
該トリガ信号を検出することにより、該通信端末が信号を生成し出力するように該通信端末の制御を促す工程と
の実行を指示する、コンピュータプログラム要素。
【００８３】
（項目１５）
制御装置と、信号生成装置と、信号出力装置とを有する通信端末であって、
該通信端末はアクセサリに結合され得、
該制御装置は、該アクセサリが該通信端末に結合されているかに依存して、該信号生成装置が、該信号出力装置から出力されかつ緊急事態が起きたことを確認し得る信号を生成するように、該信号生成装置と該信号出力装置とを制御するように適合されている、通信端末。
【００８４】
（項目１６）
上記アクセサリが上記通信端末に結合されているかを検出するように適合された検出装置をさらに備えた、項目１５に記載の通信端末。
【００８５】
（項目１７）
上記制御装置が、上記通信端末のスイッチがオンのときにおいて上記アクセサリが該通信端末に結合されている場合、または該通信端末のスイッチがオンであり該アクセサリが該通信端末から引き離されている場合において、上記信号生成装置が、上記信号出力装置により出力される信号を生成するように、該信号生成装置と該信号出力装置とを制御するように適合されている、項目１５に記載の通信端末。
【００８６】
（項目１８）
アクセサリに結合され得る通信端末を制御する方法であって、該アクセサリが該通信端末に結合されているかに依存して、該通信端末が制御されることにより、緊急事態が起きたことを確認し得る信号を生成し出力する、方法。
【００８７】
（項目１９）
通信端末を有する通信配置であって、該通信端末は、制御装置と、信号生成装置と、信号出力装置と、アクセサリとを有しており、
該通信端末は該アクセサリに結合され得、
該制御装置は、該アクセサリが該通信端末に結合されているかに依存して、該信号生成装置が、該信号出力装置から出力されかつ緊急事態が起きたことを確認し得る信号を生成するように、該信号生成装置と該信号出力装置とを制御するように適合されている、通信配置。
【００８８】
（項目２０）
アクセサリに結合された通信端末のメモリにロードされており、該通信端末内のプロセッサにより実行されるコンピュータプログラム要素であって、
該アクセサリが該通信端末に結合されているかに依存して、該通信端末が、緊急事態が起きたことを確認し得る信号を生成し出力するような制御を指示する、コンピュータプログラム要素。
【００８９】
（項目２１）
プログラム命令が記憶されたコンピュータ読取り可能な記憶媒体であって、
アクセサリに結合され得る通信端末のプロセッサにより実行されたときにおいて、該アクセサリが該通信端末に結合されているかに依存して、該通信端末が、緊急事態が起きたことを確認し得る信号を生成し出力するような制御を指示する、コンピュータ読取り可能な記憶媒体。
（摘要）
通信端末に結合された装置により、緊急シーケンスをトリガすることが可能になる。緊急シーケンス中において、通信端末は信号を出力し、それによって、例えば所定の電話番号への音声リンクがセットアップされる。外部トリガ装置（４００）は、例えばメモリカードの形状である。その装置は、トリガグリップ（４０１）を有しており、カード読取装置により通信端末に結合されている。
【００９０】
本発明の例示的な実施形態は、図中において示されており、以下に、それについて、詳細に説明する。
【発明を実施するための最良の形態】
【００９１】
図１は、本発明の例示的な実施形態に基づく移動無線ユーザー端末１００を示す。
【００９２】
移動無線ユーザー端末１００は、アンテナ１０１と、ディスプレイ装置１０２と、操作パネル１０３とを有する。
【００９３】
さらに、移動無線ユーザー端末１００は、データ処理装置１０４とメモリ１０５とを有し、それらは、外部からは見えないために図１においては破線により示されている。
【００９４】
この例示的な実施形態において、トリガ要素（換言すると、緊急呼び出しをトリガする操作要素）は、移動無線ユーザー端末１００の適切なチップカード読取装置１０７に挿入されたメモリチップカード１０６に取り付けられている。
【００９５】
例えば、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）規格に基づいて、またはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）規格に基づいて、移動無線ユーザー端末１００が、セットアップされ、構成されている。
【００９６】
この例において、メモリチップカード１０６は、ＭｕｌｔｉＭｅｄｉａＣａｒｄ（ＭＭＣ）である。
【００９７】
図２は、本発明の例示的な実施形態に基づく通信配置２００を示す。
【００９８】
通信配置２００は、図１と同様の態様でセットアップされ構成された移動無線ユーザー端末２０１を有し、この場合では、移動無線ユーザー端末２０１にはメモリチップカード１０６と内部チップカード読取装置１０７とはなく、移動無線ユーザー端末２０１は、無線インターフェース２０２により、外部チップカード読取装置２０３に結合されている。例えば、移動無線ユーザー端末２０１とチップカード読取装置２０３とは、Ｂｌｕｅｔｏｏｔｈインターフェースにより互いに結合されており、対応する送信／受信装置を有する。
【００９９】
チップカード読取装置２０３は、チップカード読取装置２０３に挿入されるメモリチップカード２０６を有し、メモリチップカード２０６は、メモリチップカード１０６に対応して構成されている。
【０１００】
メモリチップカード１０６および２０６の１つの可能な構成について、以下に説明する。
【０１０１】
図３は、本発明の例示的な実施形態に基づくメモリチップカード３００を示す。
【０１０２】
この例において、メモリチップカード３００は、ＭｕｌｔｉＭｅｄｉａＣａｒｄ（ＭＭＣ）の規格に従って構成されており、下方から図３に示されている。
【０１０３】
ＭｕｌｔｉＭｅｄｉａＣａｒｄは、携帯用用途の状況において非常に良く知られ広まっており、例えば、移動無線ユーザー端末における小さな取り出し可能なフラッシュメモリとして用いられる。ＭｕｌｔｉＭｅｄｉａＣａｒｄは、３２ｍｍ×２４ｍｍの形状であり、厚みは１．４ｍｍである。
【０１０４】
ＭｕｌｔｉＭｅｄｉａＣａｒｄの規格に従って、メモリチップカード３００は、７つのインターフェース電気コンタクト３０１〜３０７を有する。第１のコンタクト３０１は、ＲＳＶと名付けられており、接続されておらず、ＭｕｌｔｉＭｅｄｉａＣａｒｄの規格に従って常に論理値１が加えられている。第２のコンタクト３０２は、ＣＭＤと名付けられており、ＭｕｌｔｉＭｅｄｉａＣａｒｄの規格に従って命令および応答信号に用いられる。第３のコンタクトは、ＶＳＳ１と名付けられており、ＭｕｌｔｉＭｅｄｉａＣａｒｄの規格に従って、メモリチップカード３００用の電源の接地システムが加えられている。第４のコンタクト３０４は、ＶＤＤと名付けられており、ＭｕｌｔｉＭｅｄｉａＣａｒｄの規格に従って、メモリチップカード３００に電力を供給するために用いられる。第５の接続３０５は、ＣＬＫと名付けられており、ＭｕｌｔｉＭｅｄｉａＣａｒｄの規格に従って、クロック信号を提供するために用いることができる。第６の接続は、ＶＳＳ２と名付けられており、ＭｕｌｔｉＭｅｄｉａＣａｒｄの規格に従って、電源の接地システムをそれに加えることができる。第７の接続３０７は、ＤＡＴ［０］と名付けられており、データ接続である。
【０１０５】
上記のように、インターフェース電気コンタクト３０１〜３０７は、標準化されており、電源と、電源の接地システムと、データ信号とにインターフェースを提供する。ＭｕｌｔｉＭｅｄｉａＣａｒｄの仕様のより詳しい説明は、ＭｕｌｔｉＭｅｄｉａＣａｒｄ  Ｐｒｏｄｕｃｔ  Ｍａｎｕａｌ  Ｒｅｖ．５．２，Ｓａｎ  Ｄｉｓｋ  Ｃｏｒｐｏｒａｔｉｏｎ，２００２／２００３に見られ得る。
【０１０６】
図３は、ＭｕｌｔｉＭｅｄｉａＣａｒｄのインターフェースに基づいて（換言すると、７つのインターフェース電気コンタクト３０１〜３０７に基づいて）緊急呼び出しをトリガするトリガ回路が実現され得る態様を示す。
【０１０７】
メモリチップカード３００は、スイッチ要素３０８と抵抗３０９とを有する。第７のコンタクト３０７は、上記のとおりデータ入力である。第７のコンタクト３０７は、スイッチ要素３０８が開位置にある場合（例示的に、緊急事態をトリガする準備のできたメモリチップカード３００の状態に対応する）において、ほぼ電圧レベルＶＤＤ（換言すると、電源の電圧レベルであり、論理状態Ｈに相当する）に保たれている。
【０１０８】
トリガ要素３１０が作動されると、その一例が以下に提供される。スイッチ要素３０８が閉じられ、この時点で生じている第３のコンタクト３０３への結合のために第７のコンタクト３０７に接地電圧レベル（論理状態Ｌに相当し、例示的に、緊急呼び出しをトリガするためにトリガメカニズムが作動されているメモリチップカード３００の状態に相当する）が印加される。
【０１０９】
別の実施形態において、スイッチ要素３０８の機能は反転され得る。換言すると、スイッチ要素３０８の開状態が、例示的にトリガメカニズムの起動に相当し得、スイッチ要素３０８の閉状態が、緊急呼び出しがトリガされるのを待つ状態に相当し、換言すると、メモリチップカードが緊急呼び出しのトリガの準備ができているメモリチップカード３００の状態に相当し得る。
【０１１０】
トリガ要素３１０が作動された場合において、スイッチ要素３０８を起動させること（実施形態により、スイッチ要素３０８を閉じることまたは開くこと）により、トリガ信号が生成され（この例においては、第７のコンタクト３０７に接地電圧レベルを印加することにより生成され）、検出装置（例えば、次いで規定の手順またはアルゴリズムを実行する移動無線ユーザー端末のドライバソフトウェアの一部）による検出を促す。
【０１１１】
例えば、トリガ信号に応答して、移動無線ユーザー端末１００のメモリセル１０５内に記憶されたプログラムは、処理ユニット１０４により実行され得る。それにより、移動無線ユーザー端末は、アンテナ１０１により自動緊急呼び出しが送信されるか、または音声通信リンクが緊急呼び出しセンターへとセットアップされるように、制御される。
【０１１２】
以下の記載により、メモリチップカード３００の１つの可能な構成を説明する。
【０１１３】
図４は、本発明の例示的な実施形態に基づくメモリチップカード４００を示す。
【０１１４】
この例において、スイッチ要素３０８を起動し、メモリチップカード４００内の電気インターフェースを制御するトリガ要素３１０は、トリガグリップ４０１の形式である。トリガグリップ４０１は、操作部分４０９を有する。操作部分４０９は、例示的に、メモリチップカード４００のハウジングの外側にあるトリガグリップ４０１の一部であり、トリガグリップ４０１を操作するために用いられる。操作部分４０９の大きさおよび形状は、全ての状況において、トリガグリップ４０１へのアクセスのシンプルさと、トリガグリップ４０１の操作のシンプルさが確保されるように、選択される。
【０１１５】
この例において、操作部分４０９の大きさは、ほぼ２２ｍｍ×２０ｍｍであり、４４０ｍｍ２の表面積に相当する。これは、移動無線ユーザー端末の典型的な（「通常の」）キーのサイズ（典型的には、キーの表面積は約５０ｍｍ２である）の約９倍である。
【０１１６】
シンプルな操作を可能にするために、トリガグリップ４０１は、グリップホール４０２を有する。操作部分４０９は、セミフレキシブルな材料からなり得る。
【０１１７】
トリガグリップ４０１は、三次元操作要素である。それとは対照的に、移動無線ユーザー端末の通常のキー（例えば、操作パネル１０３のキー）は二次元の操作要素である。
【０１１８】
この例において、スイッチ要素３０８は、第１の電気コンタクト４０３と、第２の電気コンタクト４０４とを有する。
【０１１９】
このように構成されたスイッチ要素３０８の動作の態様について、図４と、図５Ａと、図５Ｂとを参照して、以下に説明する。
【０１２０】
図５Ａは、本発明の例示的な実施形態に基づく第１の状態５０１におけるスイッチ要素を示し、図５Ｂは、本発明の例示的な実施形態に基づく第２の状態５０２におけるスイッチ要素を示す。
【０１２１】
図５Ａおよび図５Ｂは、メモリチップカード４００を介した断面５０３を示す。第１の状態５０１において、第１の電気コンタクト５０４（第１の電気コンタクト４０３に対応する）と、第２の電気コンタクト５０５（第２の電気コンタクト４０４に対応する）とは、分離要素５０６（分離要素４０５に対応する）により互いに分離され、このようにして、電気絶縁される。
【０１２２】
トリガグリップ４０１を引っ張ることにより緊急呼び出しがトリガされると、分離要素５０６が第１の方向５０７（例示的には、メモリチップカード４００から離れる方向）に移動する。トリガグリップ４０１が引っ張られると、メモリチップカード４００は第２の状態５０２になる。この場合において、第１の電気コンタクト５０４と第２の電気コンタクト５０５とが、閉じられ、それにより、トリガ信号が生成される。
【０１２３】
トリガグリップが開放されると、表面的な輪郭を有するメアンダスプリングシステム４１０により、トリガグリップ４０１と分離要素５０６とが第２の方向５０８（例示的には、メモリカード４００に近づく方向）に移動され、メモリチップカード４００は、第１の状態５０１に戻る。この場合において、システムは再度起動され得る。換言すると、再度トリガグリップ４０１を引っ張ることにより緊急呼び出しがトリガされ得る。
【０１２４】
メモリチップカード４００は、ガイド要素４０７と、位置制限要素４０８とを有する。
ガイド要素４０７は、トリガグリップ４０１用のガイドを形成し、位置制限要素４０８は、トリガグリップ４０１がメモリチップカード４００から完全に引き離されることを避けるために用いられる。
【０１２５】
単一用途を考える実施形態の場合においては、位置制限要素４０８は脆弱であり得るか、または存在しなくあり得る。
【０１２６】
上記のとおりに、メモリチップカード４００は、チップカード読取装置１０７内に配置されており、チップカード読取装置１０７は、例えば、移動無線ユーザー端末１００内に提供されている。以下の記載により、チップカード読取装置１０７の１つの可能な構成について説明する。
【０１２７】
図６は、本発明の例示的な実施形態に基づくチップカード読取器６００を示す。
【０１２８】
チップカード読取器（チップカード読取装置）６００は、「プッシュアンドイジェクト機能」を有する。換言すると、例示的に、チップカード読取器６００に挿入されたチップカードを少しの間プッシュすることにより、そのチップカードを取り出すことができる。
【０１２９】
チップカード読取器６００は、複数のスプリングコンタクト６０１を有する。スプリングコンタクト６０１は、チップカード読取器６００に挿入されたメモリチップカードに第１の方向６０２への外部からの力が加えられていない場合において、通常、挿入されたメモリチップカードに十分な力を働かせることにより、メモリチップカードが、故意でなくチップカード読取器６００から落ちることを防ぐ。
【０１３０】
メモリチップカードは、チップカード読取器６００へと第２の方向６０３に挿入される。図４に対応して構成されたメモリチップカード４００がチップカード読取器６００に挿入され、それにより、例示的に、トリガグリップ４０１がチップカード読取器から適切な態様で（図６の下方向に）突き出て、トリガグリップ４０１を操作することにより、第１の方向６０２へとメモリチップカード４００に力が働く。トリガグリップ４０１を操作するときにおいてメモリチップカード４００がチップカード読取器６００から引き離されることを避けるために、この例示的な実施形態では、メモリチップカード４００に、またはチップカード読取器６００に保持システムを有する。保持システムの可能な構成について、図７Ａと図７Ｂとを参照して、以下に説明する。
【０１３１】
図７Ａは、本発明の例示的な実施形態に基づく保持システム７０１を示し、図７Ｂは、本発明の例示的な実施形態に基づく保持システム７０２を示す。
【０１３２】
図７Ａおよび図７Ｂにおいて、各メモリチップカード７０３は、チップカード読取器（図示せず）に完全に押し込まれている。
【０１３３】
図７Ａに示された保持システム７０１の場合において、メモリチップカード７０３は、２つのスプリング７０４を有し、メモリチップカード７０３がチップカード読取器に完全に挿入されたときにおいて、各スプリング７０４は、保持カットアウト７０６の交接部分７０５を各々の保持カットアウト７０６にプッシュする。保持カットアウト７０６は、チップカード読取器内に提供されている。
【０１３４】
メモリチップカード７０３が矢印７１０の方向にチップカード読取器から引き離され、交接部分７０５は保持カットアウトにおける位置からスプリング７０４のアクションの反対方向に動かされ、それは、メモリチップカード７０３をチップカード読取器から引き離すために必要な力を増加させる。
【０１３５】
チップカード読取器からメモリチップカード７０３を引き離すために必要とされる力（メモリチップカード７０３をチップカード読取器に保たれる力に対応する）は、スプリング７０４の強度と、保持カットアウト７０６の形状とにより決定される。
【０１３６】
図４Ａに基づく構成には、チップカード読取器のみが保持カットアウトを有するという有利な点があり、従って、標準的に構成されたメモリチップカードをチップカード読取器とともに用いることができる。図７Ｂに示された保持システムの場合において、保持カットアウト７０７は、メモリチップカード７０３上に提供されている。従って、スプリング７０８と保持カットアウト７０７の交接部分７０９とは、チップカード読取器上に提供されている。保持システム７０２の操作は、保持システム７０１の操作と類似している。
【０１３７】
図７Ａまたは図７Ｂに示されるように保持システム７０１および７０２を実現するために標準的なメモリチップカードと標準的なチップカード読取器とに必要とされる修正は、わずかであり、各構成要素の価格をほとんど増加させない。従って、保持システム７０１および７０２のうちの１つと対応して全ての種類のチップカード読取器を安価で構成することができる。それにより、例えば図４に示されているように、トリガグリップを備えたメモリチップカードをチップカード読取器に挿入することおよびそれを用いることが可能である。
【０１３８】
上記のとおり、ＭｕｌｔｉＭｅｄｉａＣａｒｄを用いて緊急呼び出しをトリガする外部トリガ機能を実現することが可能であるのみならず、その外部トリガ機能が、同様に、別の種類のチップカード（例えば、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カードまたはＵＳＢ（Ｕｎｉｖｅｒｓａｌ  Ｓｅｒｉａｌ  Ｂｕｓ）スティック）に容易に一体化され得る。従って、外部トリガ機能をほとんど全ての今日の移動無線ユーザー端末と別の移動プラットフォームとの一部として実現することができる。それは、通常、それらは少なくとも１つのチップカードまたはメモリスティック用のインターフェースを有するためである。
【０１３９】
さらに複雑なインプリメンテーションにおいて、例えば、トリガグリップが提供され得、同時に、各チップカードの「実際の」中核的な機能が提供され得る。それは、例えば、データを記憶するために用いられ得るメモリチップカード（例えばフラッシュメモリチップカード）が追加として図４に示されたトリガ装置を備えている、換言すると、中核機能（この例において、その機能は、メモリである）に加えてトリガ機能が提供されているということを意味すると理解されるべきである。
【０１４０】
トリガグリップの状態（換言すると、トリガグリップが操作されたか否かのテスト）は、インターフェースを介して信号が送られ得る。そのインターフェースにより、例えば時分割型マルチプレクサを用いて、メモリチップカードの中核機能が用いられる。
【０１４１】
第１の電気コンタクト４０３と第２の電気コンタクト４０４とを図４に対応して提供する代わりに、スイッチ要素が、センサにより改良され得る。それにより、ディスクリート部品の数が低減される。従って、第１の電気コンタクト４０３と第２の電気コンタクト４０４とは、腐食耐性のある材料からなり得、それにより、安全性が上昇し得るが、当該メモリチップカードのコストが増大し得る。
【０１４２】
図４に示されたインプリメンテーションの場合において、トリガグリップ４０１と電気インターフェース（この例において、ＭｕｌｔｉＭｅｄｉａＣａｒｄの規格に従って構成されている）とは、個々のユニット、換言すると、メモリチップカード４００において一体化されている。別の実施形態において、トリガグリップと、対応するスイッチ要素とは、完全にメモリチップカードの外部に配置されており、有線接続または無線接続により、メモリチップカードに結合されている。これにより、長距離にわたる緊急呼び出しのトリガが可能になる。
【０１４３】
一実施形態において、チップカード読取器は追加のコンタクトスプリングを備えており、メモリチップカードは、対応するコンタクトを備えている。それにより、追加の機能（例えば、単線の制御バスと、メモリチップカードがチップカード読取器に挿入されたか（コンタクトの存在）をチェックすること）が提供される。
【０１４４】
メモリチップカードがＭｕｌｔｉＭｅｄｉａＣａｒｄの規格に従って構成されている場合において、ＭｕｌｔｉＭｅｄｉａＣａｒｄの規格との互換性が失われるように、メモリチップカードを変更することなく、それらの機能が、容易に提供される。
【０１４５】
別の実施形態において、種々の保持システム（スプリングに基づくシステム、スプリングなしのシステム、など）は、移動無線ユーザー端末のハウジングの固定部品の形式であるか、またはスナップ式のカバー装置の形式（換言すると、例示的に、移動無線ユーザー端末のハウジングに固定された装置の形式であり、そこにおいてメモリチップカードがラッチされ得る形式）である。
【０１４６】
しかし、それらの実施形態は、柔軟性に欠ける。それは、通常、改良の細部が、非常に特別であり、各移動無線ユーザー端末の機械設計中の初めからそれを考慮に入れる必要があり、通常、移動無線ユーザー端末の別のモデルに用いられ得ないためである。類似した制限は、特別なシステム接続（換言すると、特別なインターフェース）により移動無線ユーザー端末に結合された移動無線ユーザー端末アクセサリによって、外部トリガ機能が提供される実施形態においても存在する。
【０１４７】
以下の記載により、緊急呼び出しをトリガするトリガ要素を備えた移動無線ユーザー端末の使用を説明する。
【０１４８】
図８は、本発明の例示的な実施形態に基づくフローチャート８００を示す。
【０１４９】
緊急呼び出しに基づく多数の異なるアプリケーションに対して、適切なユーザープロファイルを定義することができ、そのプロファイルでは、音声通信リンクと、情報交換用の通信サービスと、緊急呼び出しに対する視覚および／または音声信号伝達との適切な組み合わせが提供される。
【０１５０】
さらに、ユーザーは、適切なタイマーの設定を規定し得（例えば、下記の例におけるように遅延期間を定義し得）、その状況（例えば、山岳ツアーに参加している状況）に適したユーザープロファイルが作成され得る。
【０１５１】
図８に示されたシーケンスは、例えば山におけるスキーヤーまたはスノーボーダーのグループの一メンバーであるユーザーに適しているアプリケーションの一例を示す。
【０１５２】
例えば図４に参照して上述したように、ユーザーが、図１に示された形式であり、トリガ要素を有するＭｕｌｔｉＭｅｄｉａＣａｒｄを備えている移動無線ユーザー端末を持っていると仮定する。
【０１５３】
工程８０１において、ユーザーは、移動無線ユーザー端末のスイッチをオンにする。
【０１５４】
工程８０２において、緊急事態が起きる。
【０１５５】
工程８０３において、ユーザーは、例えばトリガグリップを引っ張ることにより、トリガ要素を起動する。従って、トリガ信号は、ＭｕｌｔｉＭｅｄｉａＣａｒｄインターフェースにより検出され、緊急シーケンスは、それに応じて、移動無線ユーザー端末により（例えば、移動無線ユーザー端末において実行されるプログラムにより）実行される。
【０１５６】
別の実施形態においては、緊急シーケンスは、ユーザーが、通常の方法に基づいてトリガ要素を操作しないとき（「不在認識（Ｔｏｔｅｒ−Ｍａｎｎ−Ｅｒｋｅｎｎｕｎｇ）」）において、開始される。この方法は、移動無線ユーザー端末を用いて、また、対応する移動無線通信ネットワークを用いて送受信され得る品質をチェックするために用いられ得る。例えば、その品質が規定の限度を下回る場合において、移動無線ユーザー端末は、警戒信号を出力し得る。この方法は、移動無線通信ネットワークのプロバイダに好まれ得る。それは、そのことが、緊急事態においてのみメッセージが送信されるかまたは音声通信リンクがセットアップされる場合と比べて、移動無線通信ネットワークが伝送のために用いられる頻度が高いということを意味するためである。
【０１５７】
工程８０４において、視覚および／または音声信号を用いることによって、緊急シーケンスがトリガされ、ある時間間隔（例えば、数秒の遅延期間）後において、適切な計測が行われるということが示される。例えば、ユーザーは、１０秒の遅延期間と定められた時間遅延を規定し得る。遅延期間中において、ユーザーは、例えば意図せずにトリガ要素を操作してしまった場合において、手動で緊急シーケンスを停止することができる。
【０１５８】
一実施形態において、手動による緊急シーケンスの停止は、ＰＩＮコードにより保護されている。換言すると、緊急シーケンスを手動で停止し得るためには、ＰＩＮコードを入力する必要がある。
【０１５９】
工程８０５において、遅延期間が経過すると、規定の電話番号への音声リンクがセットアップされる。音声リンクをセットアップすることにより、（例えば、ヨーロッパでは１１２、またはアメリカでは９１１の電話番号により）緊急サービスに、またはルートサービスに、または山岳レスキューステーションに、または状況を判断し必要に応じて第３のパーティーと連絡を取る私的な窓口に、ユーザーを接続させる。規定の電話番号への音声リンクをセットアップすることができない場合（例えば、その番号がビジー状態であり、ビジー信号を受信したためにできない場合）において、代替の１つまたは複数の電話番号を用いて、音声リンクのセットアップをするための試行がなされる。
【０１６０】
工程８０６において、規定されたＳＭＳ（Ｓｈｏｒｔ  Ｍｅｓｓａｇｅ  Ｓｅｒｖｉｃｅ）メッセージまたはＭＭＳ（Ｍｕｌｔｉｍｅｄｉａ  Ｍｅｓｓａｇｅ  Ｓｅｒｖｉｃｅ）メッセージが、さらに、緊急シーケンスの一部として送信される。それにより、ユーザーが、妨害されることなく短時間で自動的に基本的なデータと、状況に関する最新のデータとを伝達することが可能になる。基本的なデータは、例えば、旅行者数と、登山者グループのメンバーの数と、個人データと、別の詳細（例えば、特定の医薬への不耐性などの医療特性）とを含み得る。基本的なデータにより、ユーザーが特定のサービスおよびアクション（例えば、折り返し電話）を要求することが可能になる。最新のデータは、局所的な位置と、周辺温度と、ユーザーの個人状態（例えば、パルス測定ユニットからの情報）とを含み得る。
【０１６１】
工程８０７において、移動無線ユーザー端末は、ユーザーの所在確認をシンプルにするために、緊急シーケンスの一部として信号を繰返し送信する。それらは、音声信号と、視覚信号と、用いられている移動無線通信ネットワークにより出力される信号と、またはその移動無線通信ネットワークとは独立に、無線通信を可能にする別の通信システムにより送信される信号（例えば、Ｂｌｕｅｔｏｏｔｈインターフェースを用いて移動無線ユーザー端末を介して送信される信号）とであり得る。
【０１６２】
音声信号と視覚信号とは、例えば、なだれ、または夜中に生じた緊急事態の場合において、特に適する。信号は、規定されたフローチャートに従って、例えば交互に、または連続的に、または別々のパルスにおいて生成され得る。それにより、例えば、長い操作時間が得られ、移動無線ユーザー端末の電力消費が低く、長い期間の経過後で初めて移動無線ユーザー端末の蓄電池がさらなる電力の供給ができなくなる。
【０１６３】
工程８０８において、緊急状況が解決された後に、緊急シーケンスを終了させる。
【０１６４】
図９は、本発明の例示的な実施形態に基づく移動無線ユーザー端末９００を示す。
【０１６５】
移動無線ユーザー端末９００は、アンテナ９０１と、ディスプレイ装置９０２と、操作パネル９０３とを有する。
【０１６６】
さらに、移動無線ユーザー端末９００は、データ処理装置９０４と、メモリ９０５とを有し、それらは、外部からは見えないために図９においては破線により示されている。
【０１６７】
移動無線ユーザー端末９００は、インターフェース９０６をさらに備え、アクセサリ（図示せず）は、インターフェース９０６により、移動無線ユーザー端末９００に結合され得る。
【０１６８】
例えば、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）規格に基づいて、またはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）規格に基づいて、移動無線ユーザー端末９００が、セットアップされ、構成されている。
【０１６９】
以下において、図１０Ａと、図１０Ｂと、図１１とを参照して、インターフェース９０６により移動無線ユーザー端末９００に結合され得るアクセサリの例について、説明する。
【０１７０】
図１０Ａは、本発明の例示的な実施形態に基づくアクセサリ１００１を示す。
【０１７１】
アクセサリ１００１は、この実施形態ではプラグ接続１００２として形成されたインターフェース１００２を備える。
アクセサリ１００１は、主にリング（または、ループ）１００３からなる。それにより、アクセサリ１００１が移動無線ユーザー端末９００に差し込まれている場合において、シンプルな方法で、困難な条件下（例えば、ユーザーが分厚いグローブをはめている場合）において、アクセサリ１００１が、移動無線ユーザー端末９００のユーザーによって、移動無線ユーザー端末９００から分離され得る。
【０１７２】
移動無線ユーザー端末９００には、この例においては、アクセサリ１００１が移動無線ユーザー端末９００に結合されているかの、移動無線ユーザー端末９００による検出を可能にするソフトウェアが提供されている。このために、インターフェース１００２の２つの接続が短絡され得、アクセサリ１００１が移動無線ユーザー端末９００に結合されている場合において、それにより、インターフェース９０６の対応する接続が短絡され、移動無線ユーザー端末９００は、アクセサリ１００１が移動無線ユーザー端末９００から分離されている場合において、それらの対応する接続がもはや短絡されていないということを検出し得る。
【０１７３】
以下に詳述するように、アクセサリ１００１が移動無線ユーザー端末９００から分離されたと検出されたときにおいて、移動無線ユーザー端末９００は、自動的に緊急呼び出しを送信する。
【０１７４】
移動無線ユーザー端末９００とともに、アクセサリ１００１と同様に用いられ得るさらなるアクセサリの一例が、図１０Ｂに示されている。
【０１７５】
図１０Ｂは、本発明の例示的な実施形態に基づくアクセサリ１００４を示す。
【０１７６】
図１０Ａにおいて示されたアクセサリ１００１と同様に、アクセサリ１００４は、インターフェース（プラグ接続）１００５を備え、それにより、アクセサリ１００４が移動無線ユーザー端末９００に結合され得る。
【０１７７】
しかし、アクセサリ１００４は、リング１００３の形状ではなく、柔軟かつ小さなプレート１００６の形状である。
【０１７８】
例示的に、移動無線ユーザー端末９００のユーザーは、柔軟かつ小さなプレート１００６を押すことにより、柔軟かつ小さなプレート１００６が曲がり、インターフェース１００５のインターフェース９０６からの「飛び出し」を達成することによって、移動無線ユーザー端末９００からアクセサリ１００４を分離し得る。
【０１７９】
例示的に、移動無線ユーザー端末９００とアクセサリ１００４とからなる集合体を曲げることにより、アクセサリ１００４は、移動無線ユーザー端末９００から分離される。
【０１８０】
以下に、さらなるアクセサリの例について、図１１を参照して説明する。
【０１８１】
図１１は、本発明の例示的な実施形態に基づくメモリチップカード１１００である。
【０１８２】
この例において、メモリチップカード１１００は、アクセサリであり、それは、ＭｕｌｔｉＭｅｄｉａＣａｒｄ（ＭＭＣ）に従って形成されている。メモリチップカード１１００は、下方から図１１に示されている。
【０１８３】
ＭｕｌｔｉＭｅｄｉａＣａｒｄは、携帯用用途の状況において非常に良く知られ、広まっており、例えば、移動無線ユーザー端末において小さな取り外し可能なフラッシュメモリ装置として用いられている。ＭｕｌｔｉＭｅｄｉａＣａｒｄは、３２ｍｍ×２４ｍｍの形状であり、厚みは１．４ｍｍである。
【０１８４】
ＭｕｌｔｉＭｅｄｉａＣａｒｄの規格に従って、メモリチップカード１１００は、７つのインターフェース電気コンタクト１１０１〜１１０７を有する。第１のコンタクト１１０１は、ＲＳＶと名付けられており、接続されておらず、ＭｕｌｔｉＭｅｄｉａＣａｒｄの規格に従って常に論理値１が加えられている。第２のコンタクト１１０２は、ＣＭＤと名付けられており、ＭｕｌｔｉＭｅｄｉａＣａｒｄの規格に従って命令および応答信号に用いられる。第３のコンタクトは、ＶＳＳ１と名付けられており、ＭｕｌｔｉＭｅｄｉａＣａｒｄの規格に従って、メモリチップカード１１００用の電源の接地システムが加えられている。第４の接続１１０４は、ＶＤＤと名付けられており、ＭｕｌｔｉＭｅｄｉａＣａｒｄの規格に従って、メモリチップカード１１００に電力を供給するために用いられる。第５の接続１１０５は、ＣＬＫと名付けられており、ＭｕｌｔｉＭｅｄｉａＣａｒｄの規格に従って、クロック信号を提供するために用いることができる。第６の接続は、ＶＳＳ２と名付けられており、ＭｕｌｔｉＭｅｄｉａＣａｒｄの規格に従って、電源の接地システムをそれに加えることができる。第７の接続１１０７は、ＤＡＴ［０］と名付けられており、データ接続である。
【０１８５】
上記のように、インターフェース電気コンタクト１１０１〜１１０７は、標準化されており、電源と、電源の接地システムと、データ信号とにインターフェースを提供する。ＭｕｌｔｉＭｅｄｉａＣａｒｄの仕様のより詳しい説明は、ＭｕｌｔｉＭｅｄｉａＣａｒｄ  Ｐｒｏｄｕｃｔ  Ｍａｎｕａｌ  Ｒｅｖ．５．２，Ｓａｎ  Ｄｉｓｋ  Ｃｏｒｐｏｒａｔｉｏｎ，２００２／２００３に見られ得る。
【０１８６】
図１１は、ＭｕｌｔｉＭｅｄｉａＣａｒｄのインターフェースに基づいて（換言すると、７つのインターフェース電気コンタクト１１０１〜１１０７に基づいて）、移動無線ユーザー端末９００が、メモリチップカード１１００が移動無線ユーザー端末９００に結合されているかを検出し得る態様を示す。以下では、インターフェース９０６は、例えばメモリチップカード１１００を結合するインターフェースであり、移動無線ユーザー端末９００は、対応するカード読取器を備えると仮定する。
【０１８７】
メモリチップカード１１００が移動無線ユーザー端末９００に結合されると、この時点で生じている第３のコンタクト１１０３への結合のために、第７のコンタクト１１０７が接地電圧レベル（論理状態Ｌに相当し、移動無線ユーザー端末９００により検出され得る）に結合される。メモリチップカード１１００が移動無線ユーザー端末９００から分離されると、第７のコンタクト１１０７はもはや接地電圧レベルに接続されておらず、それも、移動無線ユーザー端末９００により検出され得る。
【０１８８】
その検出は、移動無線ユーザー端末のドライバソフトウェアにより実行され得、そのドライバソフトウェアは、所定の手段またはアルゴリズムを実行する。
【０１８９】
例えば、トリガ信号への応答として、移動無線ユーザー端末９００のメモリ９０５に記憶されたプログラムが、データ処理装置により実行され得る。それにより、移動無線ユーザー端末９００は、アンテナ９０１により自動緊急呼び出しが送信されるか、または緊急センターへの音声通信接続が構築されるように、制御される。
【０１９０】
対応するフローの一例について、以下に説明する。
【０１９１】
図１２は、本発明の例示的な実施形態に基づくフロー図１２００を示す。
【０１９２】
工程１２０１において、移動無線ユーザー端末９００のユーザーは、移動無線ユーザー端末９００のスイッチをオンにする。
【０１９３】
アクセサリは、例えば、図１０Ａと、図１０Ｂと、図１１とに示されたアクセサリのうちの１つである。
【０１９４】
アクセサリは、アクセサリが移動無線ユーザー端末に結合されているということの移動無線ユーザー端末９００において実行されるソフトウェアによる検出を可能にする固有の識別を有する。
【０１９５】
アクセサリが移動無線ユーザー端末９００に結合されていると検出された後において、ソフトウェアは、移動無線ユーザー端末９００にアプリケーションを実行し、それは、例示的にはバックグランドで実行される。このアプリケーションは、例えば制御パネル９０３または別の入力装置を用いて、ユーザーにより停止され得る。この時点でアプリケーションが停止されていないと仮定する。
【０１９６】
工程１２０３において、緊急事態が起きる。
【０１９７】
従って、工程１２０４において、ユーザーは、移動無線ユーザー端末９００からアクセサリを分離する。
【０１９８】
移動無線ユーザー端末９００において実行されるソフトウェアまたは移動無線ユーザー端末９００において実行されるアプリケーションにより、アクセサリが移動無線ユーザー端末９００から分離されているということが検出される。そこですぐに、工程１２０５において、アプリケーションは、緊急呼び出しを自動的に実行する。
【０１９９】
ユーザーがアプリケーションを停止した場合において、アクセサリが移動ユーザー端末９００から分離されているときにおいても、緊急呼び出しは実行されない。
【０２００】
図１３を参照して、本発明のさらなる実施形態によるフローについて説明する。
【０２０１】
図１３は、本発明の例示的な実施形態に基づくフローチャート１３００を示す。
【０２０２】
工程１３０１において移動無線ユーザー端末のスイッチが切られたと仮定する。
【０２０３】
工程１３０２において、ユーザーは移動無線ユーザー端末９００にアクセサリ（例えば、図１０Ａと、図１０Ｂと、図１１とに示されたアクセサリのうちの１つのアクセサリ）を結合させる。
【０２０４】
工程１３０３において、緊急事態が起きる。
【０２０５】
そこですぐに、移動無線ユーザー端末９００のユーザーは、移動無線ユーザー端末９００のスイッチをオンにする。
【０２０６】
上記の実施形態とは対照的にこの実施形態においては、移動無線ユーザー端末９００は、アクセサリが移動無線ユーザー端末９００から分離されているということを検出することによってではなく、アクセサリが移動無線ユーザー端末に結合されているということを検出することによって、緊急事態が起きたということを検出する。
【０２０７】
それに対応して、そのことは、アクセサリが移動無線ユーザー端末９００に容易に結合され得る実施形態において有利である。
【０２０８】
工程１３０５において、移動無線ユーザー端末は、起動し、アクセサリが移動無線ユーザー端末９００に結合されているということを検出することにより、緊急機能が起動されたということを検出する。移動無線ユーザー端末９００は、この時点で、利用可能な移動通信ネットワークを検索する。
【０２０９】
移動通信ネットワークが利用可能になると、移動無線ユーザー端末９００は、自動的に緊急事態を実行する。
【０２１０】
図１４を参照して、以下に、フローのさらなる例について説明する。
【０２１１】
図１４は、本発明の例示的な実施形態に基づくフローチャートを示す。
【０２１２】
緊急呼び出しに基づく多数の異なるアプリケーションに対して、適切なユーザープロファイルを定義することができ、そのプロファイルでは、音声通信リンクと、情報交換用の通信サービスと、緊急呼び出しに対する視覚および／または音声信号伝達との適切な組み合わせが提供される。
【０２１３】
さらに、ユーザーは、適切なタイマーの設定を規定し得（例えば、下記の例におけるように遅延期間を定義し得）、その状況（例えば、山岳ツアーに参加している状況）に適したユーザープロファイルが作成され得る。
【０２１４】
図１４に示されたシーケンスは、例えば山におけるスキーヤーまたはスノーボーダーのグループの一メンバーであるユーザーに適しているアプリケーションの一例を示す。
【０２１５】
ユーザーが、移動無線ユーザー端末９００と、適切なアクセサリ（例えば、図１０Ａと、図１０Ｂと図１１とに示されたアクセサリのうちの１つのアクセサリ）を持っていると仮定する。
【０２１６】
工程１４０１において、ユーザーは、移動無線ユーザー端末９００のスイッチをオンにし、アクセサリを移動無線ユーザー端末９００に結合させる。
【０２１７】
工程１４０２において、緊急事態が起きる。
【０２１８】
工程１４０３において、ユーザーは、例えばアクセサリを移動無線ユーザー端末９００から引き離すことにより、アクセサリを移動無線ユーザー端末９００から分離する。これは、インターフェース９０６により移動無線ユーザー端末９００によってそれ相応に検出され、それに相応して、例えば移動無線ユーザー端末９００において実行されるプログラムによって、移動無線ユーザー端末９００により緊急シーケンスが実行される。
【０２１９】
工程１４０４において、視覚および／または音声信号を用いることによって、緊急シーケンスがトリガされ、ある時間間隔（例えば、数秒の遅延期間）後において、適切な計測が行われるということが示される。例えば、ユーザーは、１０秒の遅延期間と定められた時間遅延を規定し得る。遅延期間中において、ユーザーは、例えば意図せずにアクセサリが移動無線ユーザー端末から分離されてしまった場合において、手動で緊急シーケンスを停止することができる。
【０２２０】
一実施形態において、手動による緊急シーケンスの停止は、ＰＩＮコードにより保護されている。換言すると、緊急シーケンスを手動で停止し得るためには、ＰＩＮコードを入力する必要がある。
【０２２１】
工程１４０５において、遅延期間が経過すると、規定の電話番号への音声リンクがセットアップされる。音声リンクをセットアップすることにより、（例えば、ヨーロッパでは１１２、または米国では９１１の電話番号により）緊急サービスに、またはルートサービスに、または山岳レスキューステーションに、または状況を判断し必要に応じて第三者と連絡を取る私的な窓口に、ユーザーを接続させる。規定の電話番号への音声リンクをセットアップすることができない場合（例えば、その番号がビジー状態であり、ビジー信号を受信したためにできない場合）において、代替の１つまたは複数の電話番号を用いて、音声リンクのセットアップをするための試行がなされる。
【０２２２】
工程１４０６において、規定されたＳＭＳ（Ｓｈｏｒｔ  Ｍｅｓｓａｇｅ  Ｓｅｒｖｉｃｅ）メッセージまたはＭＭＳ（Ｍｕｌｔｉｍｅｄｉａ  Ｍｅｓｓａｇｅ  Ｓｅｒｖｉｃｅ）メッセージが、さらに、緊急シーケンスの一部として送信される。それにより、ユーザーが、妨害されることなく短時間で自動的に、基本的なデータと、状況に関する最新のデータとを伝達することが可能になる。基本的なデータは、例えば、旅行者数と、登山者グループのメンバーの数と、個人データと、別の詳細（例えば、特定の医薬への不耐性などの医療特性）とを含み得る。基本的なデータにより、ユーザーが特定のサービスおよびアクション（例えば、折り返し電話）を要求することが可能になる。最新のデータは、局所的な位置と、周辺温度と、ユーザーの個人状態（例えば、パルス測定ユニットからの情報）とを含み得る。
【０２２３】
工程１４０７において、移動無線ユーザー端末は、ユーザーの所在確認をシンプルにするために、緊急シーケンスの一部として信号を繰返し送信する。それらは、音声信号と、視覚信号と、用いられている移動無線通信ネットワークにより出力される信号と、またはその移動無線通信ネットワークとは独立に、無線通信を可能にする別の通信システムにより送信される信号（例えば、Ｂｌｕｅｔｏｏｔｈインターフェースを用いて移動無線ユーザー端末を介して送信される信号）とであり得る。
【０２２４】
音声信号と視覚信号とは、例えば、なだれ、または夜中に生じた緊急事態の場合において、特に適する。信号は、規定されたフローチャートに従って、例えば交互に、または連続的に、または別々のパルスにおいて生成され得る。それにより、例えば、長い操作時間が得られ、移動無線ユーザー端末の電力消費が低く、長い期間の経過後において初めて移動無線ユーザー端末の蓄電池がさらなる電力の供給ができなくなる。
【０２２５】
工程１４０８において、緊急状況が解決された後に、緊急シーケンスを終了させる。
【０２２６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【０２２７】
【図１】本発明の例示的な実施形態に基づく移動無線ユーザー端末である。
【図２】本発明の例示的な実施形態に基づく通信配置を示す。
【図３】本発明の例示的な実施形態に基づくメモリチップカードを示す。
【図４】本発明の例示的な実施形態に基づくメモリチップカードを示す。
【図５】図５Ａは、本発明における例示的な実施形態に基づく第１の状態におけるスイッチ要素を示し、図５Ｂは、本発明における例示的な実施形態に基づく第２の状態におけるスイッチ要素を示す。
【図６】本発明の例示的な実施形態に基づくチップカード読取器を示す。
【図７】図７Ａおよび図７Ｂは、本発明の例示的な実施形態に基づく保持システムを示す。
【図８】本発明の例示的な実施形態に基づくフローチャートを示す。
【図９】本発明の例示的な実施形態に基づく移動無線ユーザー端末を示す。
【図１０】図１０Ａおよび図１０Ｂは、本発明の例示的な実施形態に基づくアクセサリを示す。
【図１１】本発明の例示的な実施形態に基づくメモリチップカードを示す。
【図１２】本発明の例示的な実施形態に基づくフローチャートを示す。
【図１３】本発明の例示的な実施形態に基づくフローチャートを示す。
【図１４】本発明の例示的な実施形態に基づくフローチャートを示す。
【符号の説明】
【０２２８】
１００、２０１、９００  移動無線ユーザー端末
１０１、９０１  アンテナ
１０２、９０２  ディスプレイ装置
１０３、９０３  操作パネル
１０４、９０４  データ処理装置
１０５、９０５  メモリ
１０６、２０６、３００、４００、７０３、１１００  メモリチップカード
１０７、２０３  チップカード読取装置
２００  通信配置
２０２  無線インターフェース
３０１〜３０７、１１０１〜１１０７  コンタクト
３０８  スイッチ要素
３０９、１１０９  レジスタ
３１０  トリガ要素
４０１  トリガグリップ
４０２  グリップホール
４０３、４０４、５０４、５０５  電気コンタクト
４０５、５０６  分離要素
４０７  ガイド要素
４０８  位置制限要素
４０９  操作部分
４１０  メアンダスプリングシステム
５０１、５０２  状態
５０３  断面
５０７、５０８、６０２、６０３  方向
６００  チップカード読取器
６０１  スプリングコンタクト
７０１、７０２  保持システム
７０４、７０８、  スプリング
７０５、７０９  交接部分
７０６、７０７  保持カットアウト
７１０  矢印
８００、１２００、１３００、１４００  フローチャート
８０１〜８０８、１２０１〜１２０５、１３０１〜１３０５、１４０１〜１４０８  シーケンスループ
９０６、１００２、１００５、  インターフェース
１００１、１００４、  アクセサリ
１１０３  リング
１１０６  柔軟かつ小さなプレート
【図１】
2006074784.tif 000003
【図２】
2006074784.tif 000004
【図３】
2006074784.tif 000005
【図４】
2006074784.tif 000006
【図５】
2006074784.tif 000007
【図６】
2006074784.tif 000008
【図７】
2006074784.tif 000009
【図８】
2006074784.tif 000010
【図９】
2006074784.tif 000011
【図１０】
2006074784.tif 000012
【図１１】
2006074784.tif 000013
【図１２】
2006074784.tif 000014
【図１３】
2006074784.tif 000015
【図１４】
2006074784.tif 000016